(57)【要約】【課題】制御を簡略化されたユーザ状況確認システムを提供すること。【解決手段】見守り対象の電気機器２００がタップ２３０を介してコンセントに差し込まれると、ＨＥＭＳコントローラ１００は、当該電気機器２００についての、一定期間ごとに消費電力量を収集する。ＨＥＭＳコントローラ１００は、収集した消費電力量を蓄積し、そして、蓄積した消費電力量の平均値を算出する。そして、ＨＥＭＳコントローラ１００は、１時間ごとの電気機器２００の消費電力量が上記平均値を超えたかどうかを判断する。そして、ＨＥＭＳコントローラ１００は、１時間ごとの電気機器２００の消費電力量が上記平均値を超えない、という状態が特定期間継続した場合には、端末装置４００に向けて情報を送信する。【選択図】図１
2015195455.tif 000002
【特許請求の範囲】
【請求項１】
電気機器を使用するユーザの状況を確認するためのユーザ状況確認システムであって、
前記電気機器の電力の消費量を検出するための検出装置と、
前記検出装置と通信可能な電力情報収集装置とを備え、
前記電力情報収集装置は、
前記電力情報収集装置が収集した前記電気機器の一定期間ごとの電力の消費量の移動平均値を算出し、
前記電力情報収集装置によって収集される前記一定期間の前記電気機器の電力の消費量について、最新の前記一定期間の電力の消費量が当該最新の一つ前の前記一定期間の電力の消費量に対して前記移動平均値をまたいで変化するという変化が生じないという状態が特定期間連続して生じた場合に、報知動作を実行するように構成されている、ユーザ状況確認システム。
【請求項２】
前記電力情報収集装置は、前記変化が生じなかった期間の長さに応じた段階的な報知が行なわれるように、前記報知動作を実行するように構成されている、ユーザ状況確認システム。
【請求項３】
前記変化は、前記最新の一定期間の電力の消費量が前記最新の一つ前の一定期間の電力の消費量よりも大きい値である場合、および、前記最新の一定期間の電力の消費量が前記最新の一つ前の一定期間の電力の消費量よりも小さい値である場合の少なくとも一方を含む、請求項１または請求項２に記載のユーザ状況確認システム。
【請求項４】
電気機器を使用するユーザの状況を確認するための電力情報収集装置によって実行されるユーザ状況の確認方法であって、
前記電気機器の一定期間ごとの電力の消費量を収集するステップと、
前記一定期間ごとの電力の消費量の移動平均値を算出するステップと、
最新の前記一定期間の電力の消費量が当該最新の一つ前の前記一定期間の電力の消費量に対して前記移動平均値をまたいで変化するという変化が生じないという状態が特定期間連続して生じた場合に、報知動作を実行するステップとを備える、ユーザ状況の確認方法。
【請求項５】
電気機器を使用するユーザの状況を確認するための電力情報収集装置であって、
電気機器の一定期間ごとの電力の消費量の移動平均値を算出するためのプロセッサと、
前記移動平均値を記憶するための記憶装置とを備え、
前記プロセッサは、前記一定期間の前記電気機器の電力の消費量について、最新の前記一定期間の電力の消費量が当該最新の一つ前の前記一定期間の電力の消費量に対して前記移動平均値をまたいで変化するという変化が生じないという状態が特定期間連続して生じた場合に、報知動作を実行するように構成されている、電力情報収集装置。
【発明の詳細な説明】
【技術分野】
【０００１】
この開示は、電気機器を使用するユーザの状況の確認に関する。
【背景技術】
【０００２】
従来、居住者の生活状況を推定するためのシステムが各種提案されてきた。たとえば、特許第４８５１９９７号公報（特許文献１）では、電気機器の待機稼働に基づいて導出される基本電力量を利用して電力需要家の居住者の生活状況を推定する、生活状況推定システムが提案されている。なお、上記基本電力量は、電気機器の待機稼働によって消費される電力が、評価時間に亘って積分されることによって導出される。
【先行技術文献】
【特許文献】
【０００３】
【特許文献１】特許第４８５１９９７号公報
【発明の概要】
【発明が解決しようとする課題】
【０００４】
ここで、上記のような生活状況推定システムでは、居住者の生活状況の推定のために、上記したような手順に従って基本電力量を特定することが必要とされる。このことから、システムの制御が煩雑になるという課題があった。
【０００５】
本開示は、かかる実情に鑑み考え出されたものであり、その目的は、制御を簡略化されたユーザ状況確認システムを提供することである。
【課題を解決するための手段】
【０００６】
この開示のある局面に従うと、電気機器を使用するユーザの状況を確認するためのユーザ状況確認システムであって、電気機器の電力の消費量を検出するための検出装置と、検出装置と通信可能な電力情報収集装置とを備え、電力情報収集装置は、電力情報収集装置が収集した電気機器の一定期間ごとの電力の消費量の移動平均値を算出し、電力情報収集装置によって収集される一定期間の電気機器の電力の消費量について、最新の一定期間の電力の消費量が当該最新の一つ前の一定期間の電力の消費量に対して移動平均値をまたいで変化するという変化が生じないという状態が特定期間連続して生じた場合に、報知動作を実行するように構成されている、ユーザ状況確認システムが提供される。
【０００７】
好ましくは、電力情報収集装置は、変化が生じなかった期間の長さに応じた段階的な報知が行なわれるように、報知動作を実行するように構成されている。
【０００８】
好ましくは、変化は、最新の一定期間の電力の消費量が最新の一つ前の一定期間の電力の消費量よりも大きい値である場合、および、最新の一定期間の電力の消費量が最新の一つ前の一定期間の電力の消費量よりも小さい値である場合の少なくとも一方を含む。
【０００９】
この開示の他の局面に従うと、電気機器を使用するユーザの状況を確認するための電力情報収集装置によって実行されるユーザ状況の確認方法であって、電気機器の一定期間ごとの電力の消費量を収集するステップと、一定期間ごとの電力の消費量の移動平均値を算出するステップと、最新の一定期間の電力の消費量が当該最新の一つ前の一定期間の電力の消費量に対して移動平均値をまたいで変化するという変化が生じないという状態が特定期間連続して生じた場合に、報知動作を実行するステップとを備える、ユーザ状況の確認方法が提供される。
【００１０】
この開示のさらに他の局面に従うと、電気機器を使用するユーザの状況を確認するための電力情報収集装置であって、電気機器の一定期間ごとの電力の消費量の移動平均値を算出するためのプロセッサと、移動平均値を記憶するための記憶装置とを備え、プロセッサは、一定期間の電気機器の電力の消費量について、最新の一定期間の電力の消費量が当該最新の一つ前の一定期間の電力の消費量に対して移動平均値をまたいで変化するという変化が生じないという状態が特定期間連続して生じた場合に、報知動作を実行するように構成されている、電力情報収集装置が提供される。
【００１１】
好ましくは、検出装置は、２台以上の電気機器のそれぞれの電力の消費量を検出するように構成されており、報知動作は、２台以上の電気機器のすべてについて変化が生じなかった場合に実行される。
【００１２】
好ましくは、報知動作は、所定の端末に情報を送信することを含む。
【発明の効果】
【００１３】
本開示によれば、電気機器の一定期間ごとの電力消費量と、過去の一定期間ごとの電力消費量の移動平均値とに基づいて、電気機器を使用するユーザに関する報知動作を実行するかどうかが決定される。これにより、特許文献１に記載の技術等において必要とされる基本電力量の特定を行なうことなく、ユーザに普段通りに電気機器を使用させることによって、当該ユーザの状況を確認できる。したがって、ユーザ状況確認システムにおける制御の簡略化が可能になる。
【図面の簡単な説明】
【００１４】
【図１】第１の実施の形態に係るユーザ状況確認システムの構成の具体例を示す図である。
【図２】ＨＥＭＳ（Home  Energy  Management  System）コントローラの装置構成の概略の一例を示すブロック図である。
【図３】サーバの装置構成の概略の一例を示すブロック図である。
【図４】タップのハードウェア構成の一例を表した図である。
【図５】端末装置のハードウェア構成を表した図である。
【図６】電気機器のハードウェア構成の一例を表した図である。
【図７】電気機器の消費電力量の平均値の算出方法の一例を説明するための図である。
【図８】端末装置への情報送信の要否の判断方法の一例を説明するための図である。
【図９】第２の実施の形態において、ＨＥＭＳコントローラが、端末装置に向けて情報を送信するために実行する処理の一例のフローチャートである。
【図１０】第３の実施の形態において、ＨＥＭＳコントローラが、端末装置に向けて情報を送信するために実行する処理の一例のフローチャートである。
【図１１】第４の実施の形態において、ＨＥＭＳコントローラが、端末装置に向けて情報を送信するために実行する処理の一例のフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
本開示において、電気機器とは、消費電力の計測機器と被制御機器とを含んでも良いし、被制御機器のみであっても良い。被制御機器は、家屋で使用される電気機器を含み、外部から供給される電力によって駆動される電気機器を示す。また、家屋は、例えば住宅、オフィス等を示す。
【００１７】
＜実施の形態の概要＞
本開示におけるユーザ状況確認システムは、電気機器（後述する電気機器２００）の電力消費量に基づいて当該電気機器の使用者であるユーザの状況に異常が生じたと判断されたときに、その旨の報知に用いられる。ユーザ状況確認システムは、たとえば、ユーザが日常生活で使用することが想定される電気機器の消費電力量が、比較的長期間、使用時に想定される電力量を超えない場合に、上記報知を実行する。本明細書では、ユーザ状況確認システムの構成のうち、特に、電気機器の電力消費量に基づいた上記判断がどのように実現されるかについて説明する。
【００１８】
［第１の実施の形態］
＜システム構成＞
図１は、第１の実施の形態に係るユーザ状況確認システムの構成の具体例を示す図である。図１のユーザ状況確認システムは、第１の家屋Ｈ０１のユーザＰ０１の状況を、第１の家屋Ｈ０１内の電気機器２００の消費電力量に基づいて特定し、第２の家屋Ｈ０２のユーザＰ０２に知らせるためのユーザ状況確認システムである。
【００１９】
図１を参照して、ユーザ状況確認システムは、ＨＥＭＳコントローラ１００、タップ２３１〜２３３、および、ブロードバンドルータ１５０を含む。ＨＥＭＳコントローラ１００が設けられている第１の家屋Ｈ０１には、電気機器が設けられている。
【００２０】
第１の実施の形態では、電気機器として、電気ポット２０１、ＩＨ（Induction  Heating）調理器２０２、および、電子レンジ２０３が例示される。本明細書は、適宜、電気ポット２０１、ＩＨ調理器２０２、および、電子レンジ２０３を総称して、「電気機器２００」と称する。なお、ユーザ状況確認システムにおける電気機器２００の数は、図１に示された「３」に限定されない。
【００２１】
ＨＥＭＳコントローラ１００は、ブロードバンドルータ１５０を介して、インターネット等のネットワークＮＴに接続する。ネットワークＮＴには、サーバ３００が接続し得る。したがって、ＨＥＭＳコントローラ１００は、ブロードバンドルータ１５０およびネットワークＮＴを介して、サーバ３００と通信し得る。サーバ３００は、後述する処理をそれぞれが分担し協働して行なう複数の装置からなるものであってもよいし、１台の装置からなるものであってもよい。サーバ３００は、一般的なコンピュータで構成されるものであっても良い。
【００２２】
端末装置４００は、第２の家屋Ｈ０２に配置されている。そして、端末装置４００は、ネットワークＮＴを介してサーバ３００と通信し得る。したがって、ＨＥＭＳコントローラ１００は、サーバ３００を介して、端末装置４００と通信し得る。端末装置４００は、据置型のコンピュータ端末であってもよいし、携帯可能な端末であっても良い。
【００２３】
ＨＥＭＳコントローラ１００は、第１の家屋Ｈ０１内の電気機器の電力消費量を収集し、当該収集した電力消費量に基づいて、第１の家屋Ｈ０１の住人であるユーザＰ０１の状況を確認するための情報を端末装置４００へ送信する。これにより、端末装置４００のユーザであるユーザＰ０２は、第１の家屋Ｈ０１から離間した場所で、第１の家屋Ｈ０１の住人であるユーザＰ０１の状況を確認するための情報を取得し得る。
【００２４】
ＨＥＭＳコントローラ１００および電気機器２００のそれぞれは、ブロードバンドルータ１５０に接続されており、同一のサブネット（ネットワークセグメント）を構成する。ブロードバンドルータ１５０はたとえば有線ＬＡＮ（Local  Area  Network）を通信機能を備えており、ＨＥＭＳコントローラ１００と有線ＬＡＮ経由で接続される。好ましくは、ブロードバンドルータ１５０はさらに無線ＬＡＮ機能を備え、電気機器２００らと無線ＬＡＮ経由で接続される。
【００２５】
また、ＨＥＭＳコントローラ１００は、計測装置であるタップ２３１〜２３３のそれぞれと通信する。たとえば、ＨＥＭＳコントローラ１００は、タップ２３１〜２３３のそれぞれと、ＺｉｇＢｅｅ（登録商標）による無線通信を実施する。本明細書は、適宜、タップ２３１〜２３３を総称して「タップ２３０」と称する。
【００２６】
電気ポット２０１の電源プラグ２２１は、タップ２３１に接続され、タップ２３１を介してコンセント２１１に接続される。これにより、電気ポット２０１およびタップ２３１が給電される。タップ２３１は、電気ポット２０１の消費電力を測定し、そして、当該測定値をＨＥＭＳコントローラ１００へ送信する。
【００２７】
ＩＨ調理器２０２の電源プラグ２２２は、タップ２３２に接続され、タップ２３２を介してコンセント２１２に接続される。これにより、ＩＨ調理器２０２およびタップ２３２が給電される。タップ２３２は、ＩＨ調理器２０２の消費電力を測定し、そして、当該測定値をＨＥＭＳコントローラ１００へ送信する。
【００２８】
電子レンジ２０３の電源プラグ２２３は、タップ２３３に接続され、タップ２３３を介してコンセント２１３に接続される。これにより、電子レンジ２０３およびタップ２３３が給電される。タップ２３３は、電子レンジ２０３の消費電力を測定し、そして、当該測定値をＨＥＭＳコントローラ１００へ送信する。
【００２９】
＜ＨＥＭＳコントローラの構成＞
図２は、ＨＥＭＳコントローラ１００の装置構成の概略の一例を示すブロック図である。図２を参照して、ＨＥＭＳコントローラ１００は、当該ＨＥＭＳコントローラ１００全体を制御するためのＣＰＵ（Central  Processing  Unit）１０を備える。ＣＰＵ１０は、プロセッサの一例である。
【００３０】
ＨＥＭＳコントローラ１００は、さらに、ＣＰＵ１０に接続された、メモリ１３、出力部としてのＬＥＤ（Light  Emitting  Diode）１４、操作部１５、および通信部１６を備える。メモリ１３は、一例として、ＣＰＵ１０で実行されるプログラムを記憶するためのメモリであるＲＯＭ（Read  Only  Memory）１１と、後述する電気機器の状態情報等の各種データを記憶したりＣＰＵ１０でプログラムを実行する際の作業領域となったりするためのメモリであるＲＡＭ（Random  Access  Memory）１２とを含む。操作部１５は、たとえばスイッチなどによって構成され、外部からの操作を受け付ける。通信部１６は、たとえば、電気機器２００、タップ２３０、ブロードバンドルータ１５０等と通信するためのインタフェースによって構成される。
【００３１】
図２の装置構成は、ＨＥＭＳコントローラ１００の簡略化された装置構成の一例であって、ＨＥＭＳコントローラ１００の装置構成を限定するものではない。たとえば、ＨＥＭＳコントローラ１００は、互いに独立した、当該ＨＥＭＳコントローラ１００本体を制御するための装置と、電気機器２００と通信するための装置とを含み、これらがＵＡＲＴ（Universal  Asynchronous  Receiver  Transmitter）等の通信回路を利用して通信可能に接続されることによって、構成されていてもよい。
【００３２】
＜サーバの構成＞
図３は、サーバ３００の装置構成の概略の一例を示すブロック図である。図３を参照して、サーバ３００は、サーバ３００全体を制御するためのＣＰＵ３０を備える。サーバ３００は、さらに、メモリ３４と、ネットワークＮＴを介した通信を行なうための通信部３５とを含む。これらは、内部バスによってＣＰＵ３０に接続されている。メモリ３４は、一例として、ＣＰＵ３０で実行されるプログラムを記憶するためのメモリであるＲＯＭ３１、ＣＰＵ３０でプログラムを実行する際の作業領域となり、かつ、計算値を記憶するためのメモリであるＲＡＭ３２、および、大型の記憶装置の一例としてのＨＤＤ（Hard  Disk  Drive）３３を含む。
【００３３】
上記したように、サーバ３００は一般的なコンピュータで構成されるものであってよい。そのため、図３は一般的なコンピュータの概略構成を表わしている。サーバ３００の構成は図３の構成に限定されるものではない。たとえば、サーバ３００は、ユーザの操作入力を受け付けるための操作部やディスプレイをさらに含んでもよい。また、図１で例示されたように、サーバ３００が複数の装置から構成されるものである場合、各装置は、他の装置と通信するための通信装置をさらに含んでもよい。
【００３４】
＜タップの構成＞
図４は、タップ２３０のハードウェア構成の一例を表した図である。図４を参照して、タップ２３０は、対応する電気機器２００の電源プラグが差し込まれるソケット２１０１、コンセントに差込まれるプラグ２１０２、シャント抵抗２１０３、電源部２１０４、ＬＥＤ２１０５、設定ボタン２１０６、アンテナ２１０７、対応する電気機器２００の消費電力の測定するための電力センサ部２１１０、無線ＲＦ（Radio  Frequency）内蔵通信コントローラ部２１２０、配線２１３１、配線２１３２、および配線２１３３を備える。
【００３５】
無線ＲＦ内蔵通信コントローラ部２１２０は、ＣＰＵ２１２１、ＲＯＭ２１２２、ＲＡＭ２１２３、ＧＰＩＯ２１２４、および無線ＲＦ部２１２５を含む。ＲＯＭ２１２２には、ＣＰＵ２１２１が実行するプログラム等が格納されている。無線ＲＦ内蔵通信コントローラ部２１２０には、ＬＥＤ２１０５および設定ボタン２１０６が接続される。なお、ＲＯＭ２１２２は、ＮＶＲＡＭ（Non  Volatile  RAM）で構成されるのが一般的である。
【００３６】
ＬＥＤ２１０５は、ＣＰＵ２１２１からの信号に基づきタップのデータ処理状態を、点滅および／または点灯させる色等により表す。設定ボタン２１０６は、ユーザによってタップの状態設定等のために操作されて、操作内容はＣＰＵ２１２１に出力される。
【００３７】
電力センサ部２１１０は、配線２１３１と配線２１３２に接続されて、両配線間の電圧（電位差）を検出するとともに、シャント抵抗２１０３に流れる電流の電流値を検出する。電力を算出するために、検出された電圧値および電流値を乗算し、当該乗算値を示すデジタル信号をデジタル／周波数変換する。変換により得られた周波数信号を、無線ＲＦ内蔵通信コントローラ部２１２０のＧＰＩＯ２１２４に出力する。
【００３８】
ＣＰＵ２１２１は、ＧＰＩＯ２１２４から取得した上記周波数信号をデータ変換し、無線ＲＦ部２１２５は、データ変換により得られた信号を、アンテナ２１０７を用いてＨＥＭＳコントローラ１００に送信する。
【００３９】
電源部２１０４は、配線２１３２に接続され、配線２１３２から得られた交流電力を直流電力に変換し、そして、変換後の電力を電力センサ部２１１０と無線ＲＦ内蔵通信コントローラ部２１２０とに与える。
【００４０】
＜端末装置の構成＞
図５は、端末装置４００のハードウェア構成を表した図である。図５を参照して、端末装置４００は、ＣＰＵ４０１０、タッチスクリーン４０２０、計時動作を実行する時計４０３０、メモリ４０４０、電源のＯＮ／ＯＦＦ等のボタン４０５０、通信インターフェイス４０６０、およびスピーカ４０７０を含む。タッチスクリーン４０２０は、ディスプレイ４０２１およびタッチパネル（タブレット）４０２２とで構成された表示一体型入力装置を構成する。端末装置４００は、表示一体型入力装置に替えて、ディスプレイと操作部（ボタン、キー等）とを別個に備えていてもよい。
【００４１】
メモリ４０４０は、各種のＲＡＭ、ＲＯＭ、フラッシュメモリ、ハードディスク等によって実現される。メモリ４０４０は、ＣＰＵ４０１０によって実行される各種プログラム、ならびにＣＰＵ４０１０によって読出される各種データを格納する。ＣＰＵ４０１０は、メモリ４０４０に記憶されている各種のプログラムを実行することによって、各種の情報処理等を実行する。
【００４２】
通信インターフェイス４０６０は、ＣＰＵ４０１０に制御されることによって、ブロードバンドルータ１５０を介して、ＨＥＭＳコントローラ１００またはサーバ３００と通信する。
【００４３】
＜電気機器の構成＞
図６は、電気機器２００のハードウェア構成の一例を表した図である。図６を参照して、電気機器２００は、当該電気機器２００全体を制御するためのＣＰＵ２０と、メモリ２４と、ＨＥＭＳコントローラ１００と通信を行なうための通信部２５とを含む。通信部２５は、無線および／または有線で、ＨＥＭＳコントローラ１００と通信し得る。無線での通信は、ＬＡＮ、ZigBee(登録商標)、Bluetooth（登録商標）、リモートコントローラとの赤外線通信等を含む。有線での通信は、有線ＬＡＮ等を含む。なお、電気機器２００とＨＥＭＳコントローラ１００との通信は、タップ２３０を経由しても良い。この場合、電気機器２００において通信部２５は省略され得る。
【００４４】
メモリ２４は、一例として、ＲＯＭ２１と、ＲＡＭ２２と、フラッシュメモリ２３とを含む。ＲＯＭ２１は、ＣＰＵ２０が実行するプログラムを記憶する。ＲＡＭ２２は、ＣＰＵ２０でプログラムを実行する際の作業領域となり、また、計算値を記憶する。ＨＤＤ２３は、二次記憶装置の一例である。
【００４５】
電気機器２００は、さらに動作ユニット２６を含む。動作ユニット２６は、電気機器２００の独特の機能を発揮するための動作する部分である。一例として、電気機器２００が電子レンジである場合には、動作ユニット２６は、食品を加熱するためのマグネトロン、および、当該マグネトロンへの給電装置を含む。他の例として、電気機器２００がＩＨ調理器である場合には、動作ユニット２６は、調理器具を自己発熱させるためのコイル、および、当該コイルへの通電装置を含む。
【００４６】
電気機器２００は、さらに操作部２７を含む。操作部２７は、たとえば、スイッチ等のハードウェアボタン、および／または、ディスプレイに表示されるソフトウェアボタンである。ＣＰＵ２０は、操作部２７に対する操作に応じた信号の入力を受け付ける。また、操作部２７は、電気機器２００に、赤外線等によって直接制御信号を送信するリモートコントローラをも含む。
【００４７】
＜見守り対象の機器＞
ユーザ状況確認システムでは、ＨＥＭＳコントローラ１００に対して、消費電力の見守り対象となる電気機器２００が設定される。ＨＥＭＳコントローラ１００のメモリ１３には、当該電気機器２００を特定する情報、および／または、当該電気機器２００が接続されるタップ２３０を特定する情報が格納される。
【００４８】
電気機器２００としては、電力を消費するあらゆる電気機器が例示され得る。ただし、電気機器２００には、見守りの対象として適しているものと適さないものがある。見守りの対象として適している電気機器は、たとえば、電源のＯＮ／ＯＦＦが、タイマ制御や予約機能ではなく、ユーザによる手動の操作によって切り替えられる。本実施の形態では、電源ＯＦＦの状態は、電源ＯＮの状態（稼働状態）よりも消費電力が低い状態を意味し、いわゆる待機状態を含む。見守りの対象として適している電気機器２００は、電気ポット２０１、ＩＨ調理器２０２、および、電子レンジ２０３の他に、オーブン調理機、トースター、洗濯機、および、点灯／消灯がユーザの手動で切り替えられる照明器具が挙げられる。
【００４９】
見守りの対象として適さない電気機器２００の例としては、タイマ機能等によって比較的高い頻度で自動的にＯＮ／ＯＦＦの状態を切り替えられる電気機器が挙げられる。このような電気機器２００のより具体的な例は、エアーコンディショナ、テレビ、ビデオレコーダ、固定式の電話機（留守番電話機能）等である。ただし、これらの電気機器も、タイマ機能等によって自動的にＯＮ／ＯＦＦを切り替えるための機能が使用されない場合には、見守りの対象として適していると言える。
【００５０】
また、本実施の形態では、各電気機器２００は、タップ２３０によって電力の消費量を計測される。この意味では、定常的に同じタップ２３０に接続されない電気機器は、見守りの対象として適していないと言える。このような電気機器として、たとえば掃除機、ドライヤ、アイロン、および充電器が例示される。ただし、これらの電気機器も同じタップ２３０に定常的に接続されるものであれば、見守りの対象として適していると言える。
【００５１】
＜見守り処理＞
本実施の形態におけるユーザ（ユーザＰ０１）を見守るための処理（以降、適宜「見守り処理」という）において、ＨＥＭＳコントローラ１００が、見守り対象として選択された電気機器２００の消費電力を取得し、そして、当該消費電力に基づいて端末装置４００への情報の送信の要否を判断し、そして、必要であると判断したときに適切な情報を送信する。ＨＥＭＳコントローラ１００は、端末装置４００への情報送信の要否を、見守り対象として選択された電気機器ごとに異なるアルゴリズムに従って判断する。以下に、電気機器２００ごとに設定されたアルゴリズムの一例を説明する。なお、ＨＥＭＳコントローラ１００が、設定されたアルゴリズムに従って動作するための情報（プログラムおよび／またはデータ）は、たとえばメモリ１３に格納されている。
【００５２】
＜電気ポットについてのアルゴリズム＞
●前提
見守りの対象である電気ポット２０１は、前提として、ユーザ（住人）が手動で操作したときにだけ電力消費を開始し、自動で電力消費を開始することはない。また、電気ポット２０１の消費電力が大きい期間は、主に、手動操作による動作開始の直後から１５分間程度である。
【００５３】
●仮説
電気ポット２０１に対する住人の動作についての仮説は、以下の通りである。
【００５４】
住人は、たまに水を入れるはずである（たとえば、２日間に１回以上）。
住人は、第１の家屋Ｈ０１を留守にする場合は、電気ポット２０１の電源プラグ２２１を電源コンセントから抜くはずである。
【００５５】
●アルゴリズムの内容
端末装置４００への情報送信の要否は、以下のステップＡ１〜Ａ４に従って決定される。
【００５６】
Ａ１：１時間ごとの消費電力量を取得し、それらの平均値を算出する（たとえば、２０Ｗｈ程度）。算出される平均値は、移動平均値であっても良い。
【００５７】
Ａ２：１時間の消費電力量を取得する。最新の１時間の消費電力量が、上記平均値（たとえば、２０Ｗｈ）未満の場合は、当該最新の消費電力量の対象となった１時間は、電気ポット２０１が使用されていないと判断される。
【００５８】
Ａ３：１時間の消費電力量が上記平均値（たとえば、２０Ｗｈ）を超えない期間が、２日間以上続くと、異常状態として、端末装置４００への情報送信が必要であると判断される。
【００５９】
Ａ４：なお、１時間の消費電力量が上記平均値を超えなかった状態が２日間継続した場合であって、さらに、１時間の消費電力量が上記平均値を超えなかったときには、異常状態ではないとして、端末装置４００への情報送信が解除されても良い。住人が旅行に出ている可能性も考えられるからである。
【００６０】
本実施の形態において、消費電力量の検出期間である「１時間」は、「一定期間」の一例である。当該期間は、システム管理者の意向等に応じて、適宜変更され得る。
【００６１】
＜ＩＨ調理器についてのアルゴリズム＞
●前提
見守りの対象であるＩＨ調理器２０２は、前提として、ユーザ（住人）が手動で操作したときにだけ電力消費を開始し、自動で電力消費を開始することはない。
【００６２】
●仮説
ＩＨ調理器２０２に対する住人の動作についての仮説は、以下の通りである。
【００６３】
住人は、たまにＩＨ調理器２０２の電源をＯＮするはずである（たとえば、３日間に１回以上）。
【００６４】
●アルゴリズムの内容
端末装置４００への情報送信の要否は、以下のステップＢ１〜Ｂ３に従って決定される。
【００６５】
Ｂ１：１時間ごとの消費電力量を取得し、それらの平均値を算出する（たとえば、２０Ｗｈ程度）。算出される平均値は、移動平均値であっても良い。
【００６６】
Ｂ２：１時間ごとの消費電力量を取得する。最新の１時間の消費電力量が、上記平均値（たとえば、２０Ｗｈ）未満の場合は、当該最新の消費電力量の対象となった１時間は、ＩＨ調理器２０２が使用されていないと判断される。
【００６７】
Ｂ３：１時間の消費電力量が上記平均値（たとえば、２０Ｗｈ）を超えない期間が、３日間以上続くと、異常状態として、端末装置４００への情報送信が必要であると判断される。
【００６８】
＜電子レンジについてのアルゴリズム＞
●前提
見守りの対象である電子レンジ２０３は、前提として、ユーザ（住人）が手動で操作したときにだけ電力消費を開始し、自動で電力消費を開始することはない。
【００６９】
●仮説
電子レンジ２０３に対する住人の動作についての仮説は、以下の通りである。
【００７０】
住人は、たまに電子レンジ２０３の電源をＯＮするはずである（たとえば、３日間に１回以上）。
【００７１】
●アルゴリズムの内容
端末装置４００への情報送信の要否は、以下のステップＣ１〜Ｃ３に従って決定される。
【００７２】
Ｃ１：１時間ごとの消費電力量を取得し、それらの平均値を算出する（たとえば、２０Ｗｈ程度）。算出される平均値は、移動平均値であっても良い。
【００７３】
Ｃ２：１時間の消費電力量を取得する。最新の１時間の消費電力量が、上記平均値（たとえば、２０Ｗｈ）未満の場合は、当該最新の消費電力量の対象となった１時間は、電子レンジ２０３が使用されていないと判断される。
【００７４】
Ｃ３：１時間の消費電力量が上記平均値（たとえば、２０Ｗｈ）を超えない期間が、３日間以上続くと、異常状態として、端末装置４００への情報送信が必要であると判断される。
【００７５】
＜消費電力量の平均値の算出＞
上記したように、各電気機器２００についての見守り処理（異常判定）には、各電気機器２００の電力消費量（１時間ごとの消費電力の積算量）の平均値が利用される。当該平均値は、たとえば１時間ごとの検出された消費電力量が利用されて、算出される。図７は、電気機器２００の消費電力量の平均値の算出方法の一例を説明するための図である。
【００７６】
図７には、式（１）と式（２）とが示されている。式（１）および式（２）は、平均値（ＥＡ［ｋ］）を算出するための式である。より具体的には、式（１）は、電気機器２００の消費電力の計測が開始されてから取得された、１時間の消費電力量の数が３３６個未満である場合の、算出式である。式（１）中の値ｋは、「１時間の消費電力量」が検出された回数を表す。式（１）中の値Ａ［ｋ］は、ｋ番目の、１時間の消費電力量を表す。式（１）は、取得されたすべての消費電力量の平均値を導出する。
【００７７】
式（２）は、電気機器２００の消費電力の計測が開始されてから取得された、「１時間の消費電力量」の数が３３６個以上である場合の、算出式である。式（２）は、取得された消費電力量のうち、最新の３３６個の平均値を導出する。つまり、式（２）は、消費電力量の移動平均値を導出するための式である。
【００７８】
＜電気機器２００が使用されたかどうかの判断＞
上記したステップＡ２，Ｂ２，Ｃ２のそれぞれにおいて、ＨＥＭＳコントローラ１００は、最新の１時間の電気機器２００の消費電力量が上記平均値を超えたかどうかに基づいて、電気機器２００が使用されたかどうかを判断する。図８は、端末装置４００への情報送信の要否の判断方法の一例を説明するための図である。
【００７９】
図８に示されるように、電気機器Ａについて、最新の１時間の消費電力量（Ｄ（Ａ）［ｋ］）が平均値（ＥＡ［ｋ］）よりも大きければ、ＨＥＭＳコントローラ１００は、当該最新の１時間の中の少なくとも一瞬でも当該電気機器ＡがＯＮ状態にあった、つまり、電気機器Ａの使用があったと判断する。一方、最新の１時間の消費電力量（Ｄ（Ａ）［ｋ］）が平均値（ＥＡ［ｋ］）以下であれば、ＨＥＭＳコントローラ１００は、当該最新の１時間を通して当該電気機器ＡがＯＦＦ状態にあった、つまり、電気機器Ａの使用がなかったと判断する。
【００８０】
＜端末装置４００への情報送信＞
上記したように、ＨＥＭＳコントローラ１００は、１時間ごとに、見守り対象とされた電気機器２００について、消費電力量が上記平均値を超えたかどうかを判断する。そして、ＨＥＭＳコントローラ１００は、消費電力量が上記平均値を超えなかった状態が特定期間継続した場合には、報知動作を実行する。本実施の形態において、特定期間とは、電気ポット２０１については「２日間」である。ＩＨ調理器２０２および電子レンジ２０３については「３日間」である。ユーザは、特定期間の長さを適宜設定し得る。
【００８１】
報知動作の一例は、端末装置４００に向けた情報の送信である。送信される情報は、たとえば、「ユーザＰ０１が、２日以上、見守り対象の電気機器を使用していません。」等のメッセージである。
【００８２】
＜実施の形態のまとめ＞
以上説明した第１の実施の形態では、見守り対象の電気機器２００がタップ２３０を介してコンセントに差し込まれると、ＨＥＭＳコントローラ１００は、当該電気機器２００についての、一定期間ごとに消費電力量を検出する。ＨＥＭＳコントローラ１００は、検出された消費電力量を蓄積し、そして、蓄積した消費電力量の平均値（ＥＡ［ｋ］）を算出する。そして、ＨＥＭＳコントローラ１００は、１時間ごとの電気機器２００の消費電力量が上記平均値を超えたかどうかを判断する。そして、ＨＥＭＳコントローラ１００は、１時間ごとの電気機器２００の消費電力量が上記平均値を超えない、という状態が特定期間継続した場合には、端末装置４００に向けて情報を送信する。
【００８３】
第１の実施の形態によれば、ＨＥＭＳコントローラ１００は、見守り対象の電気機器２００がタップ２３０を介してコンセントに差し込まれると、すぐに、上記した平均値の算出および上記した判断を開始し得る。つまり、ＨＥＭＳコントローラ１００は、見守り対象のユーザ（ユーザＰ０１）についての異常判定に際して、電気機器２００の消費電力に関する「基本電力量」の算出等のための処理を必要とされない。ＨＥＭＳコントローラ１００は、ユーザＰ０１に普段通りの生活をさせながら、当該ユーザＰ０１に異常が生じたことを報知するための情報を端末装置４００へ送信することができる。これにより、たとえば、ユーザＰ０１が第１の家屋Ｈ０１内で倒れたままであるために、電気機器２００を使用できない状況が生じた場合、ユーザＰ０２は、端末装置４００を利用することによって、第１の家屋Ｈ０１から離間した場所で、当該事態の発生を認識できる。
【００８４】
ＨＥＭＳコントローラ１００は、ユーザＰ０１の見守りを中断するための設定を受け付けることができる。たとえば、ユーザＰ０１は、所定の期間第１の家屋Ｈ０１を留守にすることが予めわかっている場合、ＨＥＭＳコントローラ１００に対して、当該所定の期間、見守り処理を中断するための情報を入力する。これにより、ＨＥＭＳコントローラ１００は、当該所定の期間が開始すると、当該所定の期間が終了するまで、電気機器２００の消費電力量に基づいて端末装置４００に報知を実行する見守り処理を中断する。
【００８５】
当該所定の期間が終了すると、ＨＥＭＳコントローラ１００は、見守り処理を再開する。再開の際には、それまでの消費電力量の検出に関する期間はリセットされ得る。つまり、見守り処理では、「一定期間」ごとの消費電力量が上記平均値を超えない状況が「特定期間」連続すると、ＨＥＭＳコントローラ１００は、端末装置４００に向けて、その旨を報知する。再開の際には、「一定期間」「特定期間」についての計測時間がリセットされる。つまり、消費電力量の計測は、初めから再開される。なお、「平均値」としては、すでに算出された値が利用されても良いし、再開後に、再度、図７および図８に記載された数式を利用して初めから算出された値が利用されても良い。
【００８６】
［第２の実施の形態］
第２の実施の形態のユーザ状況確認システムの構成は、図１等に示された第１の実施の形態における構成と同様とすることができる。第２の実施の形態では、２台以上の電気機器２００が見守り対象として設定され得る。そして、ＨＥＭＳコントローラ１００は、当該２台以上の電気機器２００のすべてが、特定期間以上使用されていないと判断された状態が継続した場合には、端末装置４００に向けて、そのことを報知するための情報を送信する。また、第２の実施の形態において報知される情報の内容は、上記電気機器２００のすべてが使用されていないと判断された期間の長さに応じて、段階的に設定される。
【００８７】
図９は、第２の実施の形態において、ＨＥＭＳコントローラ１００が、端末装置４００に向けて情報を送信するために実行する処理の一例のフローチャートである。この処理は、たとえば、ＣＰＵ１０がメモリ１３（または、ＨＥＭＳコントローラ１００とは離間した記憶装置）に格納されたプログラムを実行することによって、実現される。
【００８８】
図９を参照して、ＨＥＭＳコントローラ１００は、ステップＳ１０で、変数ＡＬＬＶおよび変数ＳｔＣｏｕｎｔの値として「０」をセットする。そして、制御はステップＳ２０へ進められる。
【００８９】
ステップＳ２０で、ＨＥＭＳコントローラ１００は、見守り対象として設定されたすべての電気機器２００について、最新の一定期間における消費電量の測定結果が入力されるまで待機する。そして、当該測定結果が入力されると、ＨＥＭＳコントローラ１００は、制御をステップＳ３０へ進める。ただし、通信不良等により、ＨＥＭＳコントローラ１００がすべての電気機器２００についての測定結果が収集できない可能性がある場合等も考慮され得る。つまり、ＨＥＭＳコントローラ１００は、一定時間が経過したときに、測定結果が収集できなかった電気機器２００については、当該電気機器２００の前回の収集結果、または、当該電気機器２００についての消費電力量の平均値もしくは固定値を、最新の一定期間における消費電力量として代用することにより、制御をステップＳ３０へ進めてもよい。
【００９０】
ステップＳ３０で、ＨＥＭＳコントローラ１００は、見守り対象として設定された電気機器２００のうち少なくとも１台の電気機器２００の状態が電源ＯＦＦから電源ＯＮに切り替わったかどうかを判断する。当該判断は、たとえば図８を参照して説明された方法に基づいて実行される。そして、ＨＥＭＳコントローラ１００は、少なくとも１台の電気機器２００の状態が電源ＯＦＦから電源ＯＮに切り替わったと判断すると、ステップＳ１０へ制御を戻す（ステップＳ３０でＹＥＳ）。また、ＨＥＭＳコントローラ１００は、見守り対象として設定された電気機器２００のいずれも状態が電源ＯＦＦから電源ＯＮに切り替わっていないと判断すると、ステップＳ４０へ制御を進める（ステップＳ３０でＮＯ）。
【００９１】
ステップＳ４０で、ＨＥＭＳコントローラ１００は、変数ＳｔＣｏｕｎｔの値を「１」加算更新する。そして、制御は、ステップＳ５０へ進められる。
【００９２】
ステップＳ５０で、ＨＥＭＳコントローラ１００は、変数ＳｔＣｏｕｎｔの値が、「定数ＡＬＴＲ［ＡＬＬＶ＋１］」の値に到達したかどうかを判断する。定数ＡＬＴＲ［ＡＬＬＶ＋１］は、変数ＳｔＣｏｕｎｔの値が、変数ＡＬＬＶを加算更新するための値に到達したかどうかを判断するための定数である。定数ＡＬＴＲ［ＡＬＬＶ＋１］の値は、たとえば「２４」であるが、この値に限定されない。ＨＥＭＳコントローラ１００は、変数ＳｔＣｏｕｎｔの値が、定数ＡＬＴＲ［ＡＬＬＶ＋１］の値に到達したと判断するとステップＳ６０へ制御を進め（ステップＳ５０でＹＥＳ）、まだ到達していないと判断するとステップＳ２０へ制御を戻す（ステップＳ５０でＮＯ）。
【００９３】
ステップＳ６０で、ＨＥＭＳコントローラ１００は、変数ＡＬＬＶの値を「１」加算更新する。そして、制御はステップＳ７０へ進められる。
【００９４】
ステップＳ７０で、ＨＥＭＳコントローラ１００は、変数ＡＬＬＶの値が「３」を超えたかどうかを判断する。そして、ＨＥＭＳコントローラ１００は、変数ＡＬＬＶの値が「３」を超えたと判断するとステップＳ１０へ制御を戻し（ステップＳ７０でＹＥＳ）、まだ超えていないと判断するとステップＳ８０へ制御を進める（ステップＳ７０でＮＯ）。
【００９５】
ステップＳ８０で、ＨＥＭＳコントローラ１００は、変数ＡＬＬＶの値に応じた段階における警告用のメッセージを端末装置４００へ向けて送信して、制御をステップＳ２０へ戻す。
【００９６】
以上説明された第２の実施の形態では、２台以上の電気機器２００が見守り対象として設定される。これにより、これらのいずれもが使用されない場合には、異常状態であると判断され、これらの中の少なくとも１台が使用された場合には、正常状態（ユーザＰ０１が電気機器２００を使用して日常生活を送っている）と判断される。これにより、ユーザ状況確認システムは、ユーザＰ０１の状況をより高い精度で判断できる。
【００９７】
また、第２の実施の形態において、変数ＡＬＬＶの初期値は「０」である。変数ＡＬＬＶの値は、「１」ずつ加算更新される（ステップＳ６０）。変数ＡＬＬＶは、その値が「３」を超えると、初期値「０」に戻される（ステップＳ７０，ステップＳ１０）。このことから、警告用のメッセージは、変数ＡＬＬＶの値「１」〜「３」のそれぞれに対応する３段階で準備されている。つまり、第２の実施の形態では、２４時間連続して電気機器２００が使用されない状態が継続した場合には、変数ＡＬＬＶの値「１」に対応する警告メッセージが出力される。さらに２４時間連続して、つまり４８時間連続して、電気機器２００が使用されない状態が継続した場合には、変数ＡＬＬＶの値「２」に対応する警告メッセージが出力される。さらに２４時間連続して、つまり７２時間連続して、電気機器２００が使用されない状態が継続した場合には、変数ＡＬＬＶの値「３」に対応する警告メッセージが出力される。
【００９８】
第２の実施の形態では、変数ＡＬＬＶの値が大きくなるほど、対応するメッセージは、ユーザＰ０１の状況についての深刻の度合いが高いものになる。なお、変数ＡＬＬＶに関する判断基準の値「３」は、単なる一例であり、適宜変更され得る。
【００９９】
［第３の実施の形態］
第３の実施の形態のユーザ状況確認システムの構成は、図１等に示された第１の実施の形態における構成と同様とすることができる。第３の実施の形態における制御内容は、第２の実施の形態における制御内容と共通点を有する。ただし、第３の実施の形態では、見守り対象として設定された２台以上の電気機器２００のうち、少なくとも１台の電気機器２００の状態がＯＮからＯＦＦに切り替わるか、または、ＯＦＦからＯＮに切り替わることにより、当該電気機器２００が使用されていると判断される。
【０１００】
図１０は、第３の実施の形態において、ＨＥＭＳコントローラ１００が、端末装置４００に向けて情報を送信するために実行する処理の一例のフローチャートである。図１０に示された処理は、図９に示された処理がステップＳ３０の制御を含む代わりに、ステップＳ３２を含む。
【０１０１】
ステップＳ３２では、ＨＥＭＳコントローラ１００は、見守り対象として設定された２台以上の電気機器２００のうち少なくとも１台について、最新の一定期間の消費電力量が上記された平均値をまたぐように変化したかどうかが判断される。「平均値をまたぐ」変化とは、平均値を超えた状態から平均値以下の状態への変化、および、平均値以下の状態から平均値を超えた状態への変化を含む。
【０１０２】
前者の変化は、最新の一定期間の消費電力量が上記平均値以下であり、かつ、最新の１つ前の一定期間の消費電力量が上記平均値を超えていた場合に生じる。当該変化は、たとえば、最新の一定期間において、電気機器２００の電源の状態がＯＮからＯＦＦへと切り替えられたことを意味する。
【０１０３】
後者の変化は、最新の一定期間の消費電力量が上記平均値を超えており、かつ、最新の１つ前の一定期間の消費電力量が上記平均値以下であった場合に生じる。当該変化は、たとえば、最新の一定期間において、電気機器２００の電源の状態がＯＦＦからＯＮへと切り替えられたことを意味する。
【０１０４】
以上説明された第３の実施の形態では、見守り対象とされた電気機器２００の状態が、ＯＮからＯＦＦに切り替えられたか、または、ＯＦＦからＯＮに切り替えられれば、当該電気機器２００が使用されていると判断される。これにより、ユーザ状況確認システムは、ユーザＰ０１の状況をより正確に判断できる。
【０１０５】
［第４の実施の形態］
第４の実施の形態のユーザ状況確認システムの構成は、図１等に示された第１の実施の形態における構成と同様とすることができる。第４の実施の形態における制御内容は、第２の実施の形態における制御内容と共通点を有する。ただし、第４の実施の形態では、一度最高レベルの警告メッセージが送信されると、次に見守り対象の電気機器２００の使用が検出されるまで、当該メッセージの送信が継続される。
【０１０６】
図１１は、第４の実施の形態において、ＨＥＭＳコントローラ１００が、端末装置４００に向けて情報を送信するために実行する処理の一例のフローチャートである。図１１に示された処理は、図９に示された処理と比較して、さらにステップＳ７２を含む。
【０１０７】
ステップＳ７０で変数ＡＬＬＶの値が「３」を超えたと判断すると、ＨＥＭＳコントローラ１００は、ステップＳ７２へ制御を進める。
【０１０８】
ステップＳ７２で、ＨＥＭＳコントローラ１００は、変数ＡＬＬＶの値を「３」に設定する。そして、制御は、ステップＳ８０へ進められる。
【０１０９】
つまり、第４の実施の形態では、一度変数ＡＬＬＶの値が「３」に到達すると、ステップＳ３０からステップＳ１０に制御が進められることによって変数ＡＬＬＶの値が「０」に戻されるまで、変数ＡＬＬＶの値が「３」で維持される。これにより、ステップＳ８０における変数ＡＬＬＶの値「３」に対応した警告メッセージの送信が維持される。これにより、深刻な状況の発生が想定される場合に、より確実に、端末装置４００のユーザに当該事態を報知することができる。
【０１１０】
［第５の実施の形態］
第５の実施の形態のユーザ状況確認システムの構成は、図１等に示された第１の実施の形態における構成と同様とすることができる。そして、第５の実施の形態では、電気機器２００の消費電力は、タップ２３０の代わりに、ＣＴセンサ（current  sensor）によって検出される。
【０１１１】
［第６の実施の形態］
第６の実施の形態のＨＥＭＳコントローラ１００は、定常的に端末装置４００に向けて情報を発信し、特定期間上記電気機器２００が使用されていないと判断された場合に当該発信を止める。第６の実施の形態では、このような情報の発信の停止が報知動作の一例である。
【０１１２】
第１〜第４の実施の形態において、ＨＥＭＳコントローラ１００は、電気機器２００の消費電力量に基づいて、特定期間当該電気機器２００が使用されていないと判断された場合に、端末装置４００に向けて警告を発する。このような警告の発信が、各実施の形態における報知動作の一例である。第６の実施の形態において、ＨＥＭＳコントローラ１００が定常的に情報を発信し、端末装置４００のユーザ（ユーザＰ０２）への注意喚起が必要な場合に当該情報の発信を停止することにより、端末装置４００のユーザＰ０２は、電気機器２００のユーザ（ユーザＰ０１）の安全を定常的に確認するとともに、ユーザＰ０１の緊急事態も認識することができる。
【０１１３】
［第７の実施の形態］
第７の実施の形態では、ＨＥＭＳコントローラ１００は、第１〜第６の実施の形態において行なわれた端末装置４００への報知を禁止するための情報（報知禁止情報）を入力され得る。
【０１１４】
当該報知禁止情報は、たとえば操作部１５が所定の態様で操作されることによって、ＨＥＭＳコントローラ１００に入力される。これにより、ＨＥＭＳコントローラ１００は、電気機器２００の消費電力量に基づいて端末装置４００に報知を実行するための処理（見守り処理）を中断する。
【０１１５】
また、ＨＥＭＳコントローラ１００は、当該中断を解除するための情報（解除情報）の入力も受け付けることができる。当該解除情報は、たとえば操作部１５が所定の態様で操作されることによって、ＨＥＭＳコントローラ１００に入力される。これにより、ＨＥＭＳコントローラ１００は、電気機器２００の消費電力量に基づいて端末装置４００に報知を実行するための処理（見守り処理）を再開する。再開の際には、見守り処理において利用される、「一定期間」「特定期間」等の期間のカウントがリセットされ得る。
【０１１６】
ＨＥＭＳコントローラ１００は、上記中断が終了する前に、予め終了タイミングを特定する情報を入力されても良い。つまり、上記報知禁止情報は、終了タイミングを含んでいても良い。この場合、ＨＥＭＳコントローラ１００は、当該終了タイミングが到来したことを条件として、見守り処理を再開する。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１８】
なお、以上説明した各実施の形態のユーザ状況確認システムでは、ＨＥＭＳコントローラ１００における各種の条件（見守り対象電気機器設定、定数ＡＬＴＲの値の設定、移動平均の期間の設定、留守設定等）は、たとえばユーザＰ０１または当該システムの管理者によって設定される。ユーザＰ０１は、たとえば、端末装置４００を利用して、ブロードバンドルータ１５０経由で上記設定を実行する。システム管理者は、たとえばサーバ３００を利用して、上記設定を実行する。また、ＨＥＭＳコントローラ１００の設定情報の一部またはすべては、サーバ３００内に蓄積されていても良い。サーバ３００は、当該設定情報を利用して、ネットワークＮＴを介して、ＨＥＭＳコントローラ１００を制御し得る。
【符号の説明】
【０１１９】
１００  ＨＥＭＳコントローラ、２００  電気機器、２０１  電子レンジ、２０２  電気ポット、２０３  ＩＨ調理器、３００  サーバ、４００  端末装置、ＮＴ  ネットワーク。
【図１】
2015195455.tif 000003
【図２】
2015195455.tif 000004
【図３】
2015195455.tif 000005
【図４】
2015195455.tif 000006
【図５】
2015195455.tif 000007
【図６】
2015195455.tif 000008
【図７】
2015195455.tif 000009
【図８】
2015195455.tif 000010
【図９】
2015195455.tif 000011
【図１０】
2015195455.tif 000012
【図１１】
2015195455.tif 000013